(57)【要約】【課題】絵柄に金属色部分がある合成樹脂製の食器でありながら、マイクロ波照射加熱を行なっても絵柄の金属色部分で焦げやスパークが生じないようにし、金色や銀色の金属色部分がある絵柄にて高級感を付与しながら、電子レンジにて食品などを加熱する場合の器としても使用できる合成樹脂製の食器を提供する。【解決手段】食器本体４と、透明樹脂フィルムから成形されていて、透明樹脂フィルムを食器本体４の外面側になるようにして食器本体４の射出成形を行なうインサート成形により食器本体４の外面に一体とされた絵付けフィルム５とからなり、絵付けフィルム５は、食器本体４側となる片面に金色または銀色の非導電性塗料を印刷してなる絵柄１０を有した単層のフィルムであり、食器本体４は、絵柄１０の色とは異色にして不透明とした。【選択図】図１
2019097572.tif 000002
【特許請求の範囲】
【請求項１】
射出成形により成形された食器本体と、透明樹脂フィルムから成形されていて、この透明樹脂フィルムを食器本体の外面側になるようにして食器本体の射出成形を行なうインサート成形により食器本体の外面に一体とされた絵付けフィルムとからなり、
前記絵付けフィルムは、食器本体側となる片面に金色または銀色の非導電性塗料を印刷してなる絵柄を有した単層のフィルムであり、
前記食器本体は、前記絵柄の色とは異色にして不透明とされていることを特徴とする絵柄入り食器。
【請求項２】
前記絵付けフィルムは食器本体の外周面を被覆するように立体成形されて、絵付けフィルムの形状が食器本体の外周面の形状に対応しているものである請求項１に記載の絵柄入り食器。
【発明の詳細な説明】
【技術分野】
【０００１】
本発明は、絵柄入り食器に関するものである。
【背景技術】
【０００２】
従来から絵柄が施されている容器としては、例えば特許文献１に示されているように文字や絵柄を印刷した絵付けフィルムを一体にした合成樹脂製の容器が知られている。この種の容器は、絵付けフィルムを金型内に容器本体の表面側となるように配して合成樹脂を射出するインサート成形の手法を用いて成形されている。
【０００３】
また、飯椀や汁椀などの椀物、そしてこの椀物に被せる蓋などの食器にあっても、食器本体の外面に絵柄を施して磁器製食器と同様の絵付けした雰囲気を持たせるようにしていて、その一つとして上述したインサート成形で絵付けフィルムを食器本体の外面に一体にする工夫がある。
【先行技術文献】
【特許文献】
【０００４】
【特許文献１】実用新案登録第３１４２９４８号公報
【発明の概要】
【発明が解決しようとする課題】
【０００５】
漆器での装飾と同じように上記椀物や蓋などの椀物においても金や銀を絵付けの一部とする装飾を施したものがあり、金箔や銀箔を用いて絵柄を構成することで高級感が付与される。この点から上述した合成樹脂製の椀物にも絵柄に金属箔を用いることが、合成樹脂製の食器に高級感を付与する方法の一つとして考えられる。
【０００６】
そして、合成樹脂製の食器は洗浄や乾燥についても通常の磁器食器と同様に扱われ易いことから、合成樹脂製の食器に施した絵柄が保護されている状態であることが好ましい。
【０００７】
特許文献１で示されているように絵付けフィルムをインサート成形にて一体にした合成樹脂製の絵柄入り食器では、予め絵付けフィルムの食器本体側に絵柄印刷を行なうものであることから、フィルム自体で絵柄を保護する構成となる。
【０００８】
そのため、絵付けフィルムに金属塗料や金属箔にて金色や銀色の絵柄を設けるようにすれば、高級感のある食器が得られるとともに、前記絵柄の部分をフィルムで保護した構成となって良好である。
【０００９】
ところで、一般家庭では、加温を目的として、合成樹脂製の食器に調理品や食材を入れて電子レンジ加熱が多く行なわれる。そして、金属塗料や金属箔を絵柄に用いていると、電子レンジ加熱時に庫内で金属塗料や金属箔の部分から放電を起こして食器に焦げが生じる不具合がある。
【００１０】
よって、電子レンジで調理品や食材を加温する場合には、金属塗料や金属箔で飾り付けした食器を使用することができず、金色や銀色を飾り付けとして備える合成樹脂製の食器の用途が狭められているのが現状であった。
【００１１】
そこで、本発明は上記事情に鑑みて絵柄に金属色部分がある合成樹脂製の食器でありながら、電子レンジのマイクロ波照射加熱を行なっても絵柄の金属色部分で焦げやスパークが生じないようにすることを課題とし、金色や銀色の金属色部分がある絵柄にて高級感を付与しながら、電子レンジにて食品などを加温する場合の器としても使用できる合成樹脂製の食器を提供することを目的とするものである。
【課題を解決するための手段】
【００１２】
（請求項１の発明）
本発明は上記課題を考慮してなされたもので、射出成形により成形された食器本体と、透明樹脂フィルムから成形されていて、この透明樹脂フィルムを食器本体の外面側になるようにして食器本体の射出成形を行なうインサート成形により食器本体の外面に一体とされた絵付けフィルムとからなり、
前記絵付けフィルムは、食器本体側となる片面に金色または銀色の非導電性塗料を印刷してなる絵柄を有した単層のフィルムであり、
前記食器本体は、前記絵柄の色とは異色にして不透明とされていることを特徴とする絵柄入り食器を提供して、上記課題を解消するものである。
【００１３】
（請求項２の発明）
そして本発明において、前記絵付けフィルムは食器本体の外周面を被覆するように立体成形されて、絵付けフィルムの形状が食器本体の外周面の形状に対応しているものであることが良好である。
【発明の効果】
【００１４】
（請求項１の発明の効果）
請求項１の発明によれば、絵付けフィルムに施される絵柄が、金色や銀色の非導電性塗料を透明樹脂フィルムに印刷してなるものであるので、食品を載せた食器を電子レンジに入れてマイクロ波の照射を行なっても、絵柄の部分でスパークや焦げを生じさせることがなく、また、印刷した塗料がフィルムで覆われて保護されているので、絵柄の部分に他物が接触しても、その絵柄に傷付きや欠損を生じさせないという利点を有する。
【００１５】
（請求項２の発明の効果）
請求項２の発明によれば、絵付けフィルムに対してインサート成形時の金型への押し付けの力が均等に加わわるので、金色や銀色の輝いて見える部分にシワ付きが生じるのを簡単に防止でき、絵柄が損なわれないという利点を有する。
【図面の簡単な説明】
【００１６】
【図１】本発明に係る絵柄入り食器の一例を示す説明図である。
【図２】一例における飯椀と蓋とを分離した状態で示すもので、（ａ）は蓋を示す説明図、（ｂ）は飯椀を示す説明図である。
【図３】一例における飯椀の断面を示す説明図である。
【図４】一例における蓋の断面を示す説明図である。
【図５】一例における絵付けフィルムを示すもので、（ａ）は蓋の絵付けフィルムを示す説明図、（ｂ）は飯椀の絵付けフィルムを示す説明図である。
【発明を実施するための形態】
【００１７】
つぎに本発明を図１から図５に示す実施の形態に基づいて詳細に説明する。図中１は絵柄入り食器で、図１と図２に示すように飯椀２と蓋３との組み物としたものである。飯椀２と蓋３とのいずれも、食器本体４とこの食品本体４の外面に一体とされている絵付けフィルム５とからなるものであり、共に絵付けフィルム５に施されている絵柄６が外方から目視できる位置に配されている合成樹脂製品である。
【００１８】
（飯椀と蓋）
飯椀２の食器本体４は、着色剤により黒の不透明とされた合成樹脂材を用いて、射出成形により椀物としての形状に成形されているものであり、これによって食器本体４が黒色で不透明とされている。また、飯椀２の絵付けフィルム５は、着色剤を含まずに食器本体４の主材である合成樹脂材と同一の合成樹脂材を材料とした単層の透明樹脂フィルム６から成形されている。
【００１９】
蓋３の食器本体４の部分にあっても、飯椀２の食器本体４と同様に着色材によって黒の不透明とされた合成樹脂材を材料とし、射出成形により蓋物としての形状に成形され、蓋３の食器本体４も黒色で不透明とされている。蓋３の絵付けフィルム５も、着色剤を含まずに食器本体４の主材である合成樹脂材と同一の合成樹脂材を材料とした単層の透明樹脂フィルム６から成形されている。
【００２０】
そして飯椀２と蓋３とは、上記透明樹脂フィルム６を食器本体４の外面側になるようにして食器本体４の射出成形を行なうインサート成形によりものであり、食器本体４の外面に絵付けフィルム５が一体とされて成形されている。図３、図４参照
【００２１】
（絵付けフィルム）
飯椀２の絵付けフィルム５にあっては、この飯椀２の食器本体４における高台７から上縁部８までの胴部外周面９と対応する部分に絵柄１０が配置されている。蓋３の絵付けフィルム５にあっては、この蓋３の食器本体４における高台１１を取り囲む部分から飯椀２の上縁部８を受けために断面略鉤形にして垂れ壁１２を形成した外縁部１３に至るまでの丸みを呈する傘部外周面１４と対応する部分に絵柄１０が配置されている。
【００２２】
そして絵付けフィルム５それぞれは、無色の透明樹脂フィルム６での食器本体４側となる片面に絵柄１０を印刷して形成したものであり、これによって飯椀２及び蓋３においては、絵柄１０の印刷層の部分が透明樹脂フィルム６に保護された構成としている。
【００２３】
飯椀２での絵柄１０と蓋３での絵柄１０は、いずれも金色を呈する非導電性塗料と銀色の非導電性塗料とを印刷してなるものであって、金色の非導電性塗料を印刷した部分では透明樹脂フィルム６を通して、オレンジがかった山吹色で金属光沢を持つ光学的状態を見ることができるように設けられ、同じく銀色の非導電性塗料を印刷した部分では透明樹脂フィルム６を通して、白色ないし明るい灰色で金属光沢を持つ光学的状態を見ることができるように設けられている。
【００２４】
このように飯椀２と蓋３との食器本体４の外表面であって、その飯椀２の外周面に、また蓋３の高台７の部分を囲む外周面に、金色と銀色の非導電性塗料からなる絵柄１０を設けている。そして、食器本体４は前記絵柄１０とは異色である黒色にして不透明とし、その食器本体４の黒色も、透明樹脂フィルム６の表面平滑性にて生じる絵付けフィルム５の艶やかさが加わって黒光りする表面形態としている。これによって、飯椀２と蓋３との組み物である絵柄入り食器１にあっては、金箔、銀箔により絵付けされた漆器のごとくの外観を呈することとなり、高級感を醸し出すものとなる。
【００２５】
絵付けフィルム５は、平たく成形されている状態の透明樹脂フィルムに絵柄１０を施して後、真空成形と打ち抜きとにより形成されているものであって、図５に示すように予め食器本体４の外周面を被覆するように立体成形されて、絵付けフィルム５の形状が食器本体４の外周面の形状に対応しているものである。
【００２６】
即ち、飯椀２用の絵付けフィルム５では、図５（ｂ）と図３で示されているように、上縁部８から外方に向けて凸の断面形状となっている胴部外周面９を経て高台７の外面に達し、そして高台７の下縁部１５に及ぶ食器本体４の外周面の形状に対応するように立体成形されているものである。
【００２７】
また、蓋３用の絵付けフィルム５では、図５（ａ）と図４で示されているように、高台１１の上縁部１６からその高台１１の外面と上記傘部外周面１４を経て、垂れ壁１２の外縁部１３に及ぶ食器本体４の外周面の形状に対応するように立体成形されているものである。
【００２８】
このように絵付けフィルム５が予め立体成形されて食器本体４の外周面の形状に対応いるので、インサート成形に際して金型内へのセットが確実にして簡単になり、また射出成形したときに絵付けフィルム５の絵柄６にシワ付きを生じさせることがなく、射出成形にて外観が良好な飯椀２と蓋３とが得られる。
【００２９】
なお、絵柄入り食器１として、飯椀２と蓋３とからなる組み物を挙げたが、本発明はこの実施の形態に限定されるものではない。
【符号の説明】
【００３０】
１…絵柄入り食器
２…飯椀
３…蓋
４…食器本体
５…絵付けフィルム
６…透明樹脂フィルム
７…飯椀の高台
８…飯椀の上縁部
９…飯椀の胴部外周面
１０…絵柄
１１…蓋の高台
１２…蓋の垂れ壁
１３…蓋の外縁部
１４…蓋の傘部外周面
１５…飯椀の高台の下縁部
１６…蓋３の高台の上縁部
【図１】
2019097572.tif 000003
【図２】
2019097572.tif 000004
【図３】
2019097572.tif 000005
【図４】
2019097572.tif 000006
【図５】
2019097572.tif 000007